(57)【特許請求の範囲】
【請求項１】
設置対象物が設置される設置部を有する筐体と、
前記設置部に設置された前記設置対象物に電気的に接続される端子部と、
前記筐体の内部に配置される軸部材と、
一端側が前記軸部材に連結される第１アーム部及び該第１アーム部の他端側に設けられ前記設置部に設置された前記設置対象物に押圧される被押圧部を備え、前記設置部に設置された前記設置対象物に押圧されて前記軸部材を中心に回転移動する第１回転部材と、
一端側が前記軸部材に連結される第２アーム部及び該第２アーム部の他端側に設けられ前記検出部を押圧する押圧部を備え、前記第１回転部材の回転移動に伴って前記軸部材を中心に回転移動する第２回転部材と、
前記押圧部に押圧されることにより、前記第２回転部材の回転移動を検出する検出部と、
前記検出部による検出結果に基づいて前記端子部への電流供給を制御する制御部と、を備え、
前記第１アーム部と前記第２アーム部とは、異なる材料により形成されていることを特徴とする設置台。
【請求項２】
設置対象物が設置される設置部を有する筐体と、
前記設置部に設置された前記設置対象物に電気的に接続される端子部と、
前記筐体の内部に配置される軸部材と、
前記軸部材に連結されると共に、前記設置部に設置された前記設置対象物に押圧されて前記軸部材を中心に回転移動する第１回転部材と、
前記軸部材に連結されると共に、前記第１回転部材の回転移動に伴って前記軸部材を中心に回転移動する第２回転部材と、
前記第２回転部材の回転移動を検出する検出部と、
前記検出部による検出結果に基づいて前記端子部への電流供給を制御する制御部と、を備え、
前記第２回転部材は、前記第１回転部材の延びる方向に沿って延びていることを特徴とする設置台。
【発明の詳細な説明】
【技術分野】
【０００１】
本発明は、設置台に関する。詳しくは、設置対象物が設置される設置台に関する。
【背景技術】
【０００２】
従来、携帯電話機等の設置対象物を設置して、この設置対象物を充電する設置台が知られている。この設置台には、給電端子が設けられており、この給電端子に設置対象物の充電用端子が接触することで充電がなされるように構成されている。
また、設置対象物が設置されたことを検出する検出部を備え、この検出部が設置対象物の設置を検出すると給電端子に電流を供給する構成を有する設置台も提案されている。
【０００３】
このような設置台として、特許文献１では、携帯電話機（設置対象物）に押圧される被押圧部および検出部を押圧する押圧部を有する揺動レバーを備え、被押圧部が押圧されることで揺動レバー（回転部材）が揺動して押圧部が検出部を押圧し、給電端子に電流を供給する携帯電話機用の充電ホルダが提案されている。
【特許文献１】特開２００３−２８９３６２号公報
【発明の開示】
【発明が解決しようとする課題】
【０００４】
しかしながら、特許文献１で提案された設置台では、回転部材における検出部により検出される部材が携帯電話機に押圧される部材と一体に形成されているため、設置対象物が設置されたことを検出するための設計の自由度が低いという問題があった。
【０００５】
従って、本発明は、設置対象物が設置されたことを検出するための設計の自由度が高い設置台を提供することを目的とする。
【課題を解決するための手段】
【０００６】
本発明は、設置対象物が設置される設置部を有する筐体と、前記設置部に設置された前記設置対象物に電気的に接続される端子部と、前記筐体の内部に配置される軸部材と、前記軸部材に連結されると共に、前記設置部に設置された前記設置対象物に押圧されて前記軸部材を中心に回転移動する第１回転部材と、前記軸部材に連結されると共に、前記第１回転部材の回転移動に伴って前記軸部材を中心に回転移動する第２回転部材と、前記第２回転部材の回転移動を検出する検出部と、前記検出部による検出結果に基づいて前記端子部への電流供給を制御する制御部と、を備えることを特徴とする設置台に関する。
【０００７】
また、前記第１回転部材は、一端側が前記軸部材に連結される第１アーム部と、該第１アーム部の他端側に設けられ前記設置部に設置された前記設置対象物に押圧される被押圧部と、を備え、前記第２回転部材は、一端側が前記軸部材に連結される第２アーム部と、該第２アーム部の他端側に設けられ前記検出部を押圧する押圧部と、を備え、前記検出部は、前記押圧部に押圧されることにより、前記第２回転部材の回転移動を検出することが好ましい。
【０００８】
また、前記第１アーム部の形状と前記第２アーム部の形状とは、互いに異なることが好ましい。
【０００９】
また、前記第１アーム部の延びる方向に直交する方向における該第１アーム部の断面積と、前記第２アーム部の延びる方向に直交する方向における該第２アーム部の断面積とは、互いに異なることが好ましい。
【００１０】
また、前記第１アーム部と前記第２アーム部とは、異なる材料により形成されていることが好ましい。
【００１１】
また、前記第１回転部材が前記軸部材に連結される位置と、前記第２回転部材が該軸部材に連結される位置とは、該軸部材の軸方向に離間していることが好ましい。
【００１２】
また、前記第２回転部材は、前記第１回転部材の延びる方向に沿って延びていることが好ましい。
【発明の効果】
【００１３】
本発明によれば、設置対象物が設置されたことを検出するための設計の自由度が高い設置台を提供することができる。
【発明を実施するための最良の形態】
【００１４】
以下、図面を参照して、本発明を実施するための最良の形態について説明する。
図１から図４により、設置台としての充電台１０およびこの充電台１０の設置対象物である携帯電話機１について説明する。図１は、充電台１０に携帯電話機１が設置された状態を示す斜視図である。図２は、携帯電話機１が設置されていない充電台１０を示す斜視図である。図３は、充電台１０の分解斜視図である。図４は、図３の部分拡大斜視図である。
【００１５】
図１に示すように、充電台１０は、携帯電話機１が設置可能に構成される。詳細には、充電台１０は、携帯電話機１を設置可能な設置部２０を備えており、この設置部２０に携帯電話機１を設置（載置）することができる。
設置部２０に設置された状態の携帯電話機１は、コネクタ８０に接続される充電用コード（図示せず）を介して外部電源から供給される電力によって充電される。
【００１６】
図１に示すように、携帯電話機１は、操作部側筐体２と、表示部側筐体３と、連結部４とを有し、折り畳み可能に構成される。携帯電話機１は、折り畳んだ状態（閉状態）において矩形状になるように構成される。
【００１７】
また、携帯電話機１は、この携帯電話機１の内部に収容された充電池（図示せず）に充電をする際の被接触端子として機能する一対の充電用入力端子（図示せず）を有する。充電用入力端子は、操作部側筐体２の長手方向における連結部４とは反対側の端部側に設けられる。
【００１８】
図２および図３に示すように、充電台１０は、その外形を構成する筐体としての充電台筐体３０（筐体）と、設置部２０に設置された携帯電話機１に外部電源からの電流を供給する一対の端子部４０と、設置部２０に携帯電話機１が設置されたことを検出する検出部５１を有する検出装置５０と、設置部２０に設置された携帯電話機１に押圧されて検出部５１を押圧する押圧部材６０と、一対の端子部４０への電流の供給を制御する制御回路が形成された回路基板７０と、外部電源からの電力を供給する充電用コード（図示せず）が接続されるコネクタ８０と、を備える。
【００１９】
充電台筐体３０は、充電台１０の上面側を構成する第１ケース部材３１と、充電台１０の下面側を構成する第２ケース部材３２とを備える。
第１ケース部材３１と第２ケース部材３２とは、互いの内面同士が向かい合うように組み合わされると共に、互いの外縁が重なるように接合される。
充電台筐体３０の外面における上面側には、携帯電話機１を設置可能な設置部２０が形成される。
【００２０】
図１から図３に示すように、設置部２０は、底面部２１と、充電台筐体３０におけるＸ方向の一端側であるＸ１側に形成される第１保持部２２と、Ｘ方向の他端側であるＸ２側に形成される第２保持部２３と、を有して構成される。
尚、ここでＸ方向とは、充電台１０の長手方向に沿う方向を示す。
【００２１】
第１保持部２２は、設置部２０のＸ方向におけるＸ１側に底面部２１から立ち上がるように形成される壁状の部分である。第１保持部２２における設置部２０側の側面（内面）は、携帯電話機１の外形に合わせた形状であるＵ字状に形成される。第１保持部２２における設置部２０側の側面には、一対の端子部開口２２１が形成される。一対の端子部開口２２１は、充電台筐体３０の内部に配置される一対の端子部４０が突出可能に形成される。
【００２２】
第２保持部２３は、設置部２０のＸ方向におけるＸ２側に底面部２１から立ち上がるように形成される壁状の部分である。
【００２３】
底面部２１には、底面部開口２１１が形成される。底面部開口２１１は、底面部２１におけるＸ方向のＸ２側に形成される。この底面部開口２１１は、充電台筐体３０の内部に配置される押圧部材６０の被押圧部６２２が突出可能に形成される。
【００２４】
携帯電話機１は、第１保持部２２と第２保持部２３との間に挟持されて底面部２１上に載置されることで、設置部２０に設置される。
【００２５】
図３に示すように、回路基板７０は、充電台筐体３０の内部に収容配置される。
回路基板７０には、コネクタ８０および検出装置５０が実装されると共に、端子部４０への電流の供給を制御する制御部としての制御回路（図示せず）が形成される。
【００２６】
コネクタ８０は、充電用コード（図示せず）と接続される端子部が充電台筐体３０の外部に露出するように配置されている。
検出装置５０は、回路基板７０の上面に配置される箱状の検出装置本体５２と、この検出装置本体５２の上面に設けられる突起状の検出部５１と、を備える。
【００２７】
制御回路は、検出装置５０の検出結果に基づいて端子部４０への電流の供給を制御する。具体的には、制御回路は、検出部５１が押圧されると一対の端子部４０への電流の供給を行い、検出部５１の押圧が解除されると一対の端子部４０への電流の供給を停止する。
【００２８】
図３および図４に示すように、押圧部材６０は、円柱状の軸部材６１と、軸部材６１の周面に連結される第１回転部材６２と、軸部材６１の周面に連結される第２回転部材６３と、を備える。
第１回転部材６２は、一端側が軸部材６１に連結された第１アーム部６２１と、第１アーム部６２１の他端側に設けられた被押圧部６２２と、を備える。
第１アーム部６２１は、軸部材６１の軸方向に略垂直な方向に延びるように設けられる。被押圧部６２２は、第１アーム部６２１の他端側の先端においてＺ方向におけるＺ１側に突出すると共に、第１ケース部材３１の底面部開口２１１から充電台筐体３０の外部に突出している。
尚、Ｚ方向とは、充電台１０が水平面に載置された状態における上下方向を示す。
【００２９】
第２回転部材６３は、一端側が軸部材６１に連結された第２アーム部６３１と、第２アーム部６３１の他端側に設けられた押圧部６３２と、を備える。
第２アーム部６３１が軸部材６１に連結される位置は、第１アーム部６２１が軸部材６１に連結される位置とは、軸部材６１の軸方向に離間している。
第２アーム部６３１は、第１アーム部６２１の延びる方向に沿って延びており、この第２アーム部６３１の長さは、第１アーム部６２１の長さよりも長く構成されている。
また、第２アーム部６３１は、長手方向の略中央部で折曲して先端側が基端側よりも上方（Ｚ方向におけるＺ１側）に位置している。
図４に示すように、押圧部６３２は、略半球形状を有しており、Ｚ方向におけるＺ２側に突出している。この押圧部６３２は、検出部５１の上方（Ｚ方向におけるＺ１側）に位置しており、検出部５１と所定の長さ離間して配置されている。
【００３０】
以上の押圧部材６０は、図３に示すように、軸部材６１の両端側が第２ケース部材３２に設けられた一対の支持部材３２１により回転可能に支持されている。これにより、第１回転部材６２および第２回転部材６３は、軸部材６１の回転に伴って、この軸部材６１を中心として回転移動可能となっている。
また、押圧部材６０は、図示しないばね部材により、被押圧部６２２がＺ方向におけるＺ１側に突出するように付勢されている。
【００３１】
押圧部材６０は、設置部２０に携帯電話機１が設置された場合、被押圧部６２２がＺ方向におけるＺ２側に押圧されて、第１回転部材６２が軸部材６１を中心としてＺ方向におけるＺ２側に回転移動する。すると、第２回転部材６３も、第１回転部材６２の回転移動に伴って軸部材６１を中心に回転移動する。第２回転部材６３が回転移動すると、押圧部６３２は、Ｚ方向におけるＺ２側に移動する。これにより、押圧部６３２は、検出部５１に接触してこの検出部５１を押圧する。
【００３２】
また、押圧部材６０は、被押圧部６２２が底面部開口２１１からＺ方向におけるＺ１側に突出するように付勢されている。そのため、設置部２０から携帯電話機１がとりはずされて被押圧部６２２に対する押圧が解除されると、第１回転部材６２および第２回転部材６３は、軸部材６１を中心としてＺ方向におけるＺ１側に回転移動して、もとの位置に復帰する。これにより、押圧部６３２はＺ方向におけるＺ１側に移動して検出部５１から離間する。
【００３３】
本実施形態においては、第１アーム部６２１の剛性と第２アーム部６３１の剛性とは、互いに異なっている。
具体的には、第２アーム部６３１の長さを第１アーム部６２１の長さよりも長く構成することで、第２アーム部６３１の剛性を第１アーム部６２１の剛性よりも小さくしている。これにより、第２アーム部６３１は、第１アーム部６２１よりも撓みやすくなっている。
【００３４】
尚、第１アーム部６２１の剛性と第２アーム部６３１の剛性とを互いに異ならせる方法は、第１アーム部６２１の長さと第２アーム部６３１の長さとを異ならせる方法に限らない。
即ち、第１アーム部６２１の形状と第２アーム部６３１の形状とを、互いに異ならせてもよい。
【００３５】
また、第１アーム部６２１の延びる方向に直交する方向における断面積と、第２アーム部６３１の延びる方向に直交する方向における断面積とを、互いに異ならせてもよい。例えば、第１アーム部６２１の断面積を第２アーム部６３１の断面積よりも大きく構成することで、第１アーム部６２１の剛性を第２アーム部６３１の剛性よりも大きく構成できる。
【００３６】
また、第１アーム部６２１と第２アーム部６３１とを、異なる材料により形成してもよい。例えば、第１アーム部６２１を第２アーム部６３１よりもヤング率の高い材料により形成することで、第１アーム部６２１の剛性を第２アーム部６３１の剛性よりも大きく構成できる。
【００３７】
図２および図３に示すように、一対の端子部４０は、一対の針金状の金属部材を所定形状に折り曲げることで形成されている。具体的には、一対の金属部材それぞれの一端側をばね状に形成して付勢部４１を設けると共に、それぞれの他端側を折り曲げて折曲部４２を設けている。
一対の端子部４０は、一対の折曲部４２の折り曲げ端それぞれが一対の端子部開口２２１からＸ２側に突出するように付勢された状態で第２ケース部材３２に設けられた一対の固定部材３２２に固定される。
【００３８】
一対の端子部４０は、設置部２０に携帯電話機１が載置された場合、携帯電話機１の長手方向ＸにおけるＸ１側の端部に押圧されることにより、充電台筐体３０の内部側であって長手方向ＸにおけるＸ１側に移動可能に構成される。
一対の端子部４０それぞれは、配線（図示せず）を介して回路基板７０に接続されている。
【００３９】
第１ケース部材３１と第２ケース部材３２との間には、上述した端子部４０と、検出装置５０と、押圧部材６０と、回路基板７０と、コネクタ８０とが所定の位置に組み込まれた状態で収納配置される。
【００４０】
次に、充電台１０の設置部２０に携帯電話機１を設置する場合の充電台１０の動作について、図５を参照しながら説明する。
図５（ａ）は、充電台１０の設置部２０に携帯電話機１を設置する前の状態を示すＸ方向の縦断面図である。図５（ｂ）は、充電台１０の設置部２０に携帯電話機１を設置する場合において、携帯電話機１が押圧部材６０の被押圧部６２２に接触した状態を示すＸ方向の縦断面図である。図５（ｃ）は、充電台１０の設置部２０に携帯電話機１を設置した状態を示すＸ方向の縦断面図である。
【００４１】
図５（ａ）に示すように、充電台１０に携帯電話機１が設置されていない状態においては、押圧部材６０の被押圧部６２２は、Ｚ１側に付勢されて底面部開口２１１から充電台筐体３０の外部に突出している。また、この状態では、押圧部６３２は、検出部５１から離間しており、制御回路は、一対の端子部４０への電流の供給を停止している。
【００４２】
次に、図５（ｂ）に示すように、充電台１０の設置部２０に携帯電話機１を設置される場合には、携帯電話機１の長手方向における連結部４とは反対側の端部側に設けられた充電用入力端子（図示せず）が端子部４０に接触してこの端子部４０を押圧する。また、携帯電話機１の外面が底面部２１に当接する前に、携帯電話機１の外面の一部が被押圧部６２２に接触して、この被押圧部６２２を押圧する。
【００４３】
ここで、図５（ｂ）に示すように、携帯電話機１に押圧された被押圧部６２２がＺ方向におけるＺ２側に移動すると、第１アーム部６２１は、軸部材６１を中心としてＺ方向におけるＺ２側に回転移動する。すると、第２アーム部６３１も、第１回転部材６２の回転移動に伴って軸部材６１を中心にＺ方向におけるＺ２側に回転移動する。また、第２回転部材６３が回転移動すると、押圧部６３２もＺ２側に移動する。これにより、押圧部６３２は、検出部５１に接触してこの検出部５１を押圧する。
【００４４】
すると、回路基板７０に形成された制御回路は、検出装置５０の検出結果に基づいて、一対の端子部４０に電流の供給を行う。
これにより、充電台１０に設置された携帯電話機１に電流が供給され、充電が開始される。
【００４５】
次に、図５（ｃ）に示すように、携帯電話機１の外面が底面部２１に当接して設置部２０に完全に設置された状態においては、被押圧部６２２は、更に押圧されてＺ方向におけるＺ２側に移動し、底面部開口２１１の内部に収容される。また、被押圧部６２２がＺ方向におけるＺ２側に移動することに伴い、第１アーム部６２１はＺ方向におけるＺ２側に更に回転移動し、第２アーム部６３１も、第１アーム部６２１の回転移動に伴ってＺ方向におけるＺ２側に回転移動する。そして、押圧部６３２は、検出部５１を更に押圧する。
【００４６】
ここで、図５（ｃ）に示すように、検出部５１が押圧されて、これ以上Ｚ２側に移動できない状態において、被押圧部６２２が更に押圧されて第１アーム部６２１がＺ方向におけるＺ２側に回転移動した場合には、第１アーム部６２１よりも剛性の小さい第２アーム部６３１が撓むことにより、被押圧部６２２のＺ方向におけるＺ２側への移動は阻害されない。
【００４７】
これにより、被押圧部６２２のＺ方向への移動可能長さ（図５（ｂ）における被押圧部６２２の位置から図５（ｃ）における被押圧部６２２の位置までの長さ）と、押圧部６３２のＺ方向への移動可能長さ（図５（ｂ）における押圧部６３２の位置から図５（ｃ）における押圧部６３２の位置までの長さ）と、を自由度高く設計できる。よって、被押圧部６２２のＺ方向への移動可能長さを、押圧部６３２のＺ方向への移動可能長さよりも大きく構成することで、検出部５１により携帯電話機１が設置されたことを検出できる範囲を広く設定できる。
【００４８】
以上の充電台１０によれば、以下の効果を奏する。
被押圧部６２２を備えた第１回転部材６２と押圧部６３２を備えた第２回転部材６３とを、軸部材６１を介して間接的に連結した。これにより、被押圧部６２２や押圧部６３２等の携帯電話機１の設置状態の検出に関わる部材の配置の自由度を高くできる。
また、第２回転部材６３の回転移動は、第１回転部材６２の回転移動の影響を直接的に受けない。よって、上述した第１アーム部６２１および第２アーム部６３１の形状や材料等の各物性を適宜組み合わせて、第１アーム部６２１の剛性および第２アーム部６３１の剛性を調整することで、被押圧部６２２、押圧部６３２、検出部５１等の設計の自由度を高くできる。
【００４９】
また、携帯電話機１の外面が設置部２０の底面部２１に完全に当接していない状態においても、携帯電話機１が設置されたことを検出して電流の供給を開始可能とした。これにより、携帯電話機１の充電台１０への設置の状態により、携帯電話機１と設置部２０との間に隙間が生じたような状態であっても、この携帯電話機１に充電が可能となる。
また、製造過程において、充電台１０または携帯電話機１の寸法に若干の誤差が生じ、携帯電話機１を充電台１０に設置した状態で、携帯電話機１と充電台１０との間に若干のずれが生じた場合であっても、この携帯電話機１に充電が可能となる。
つまり、本実施形態の充電台１０によれば、携帯電話機１が設置されたことを安定して検出できる。
【００５０】
また、第１アーム部６２１の剛性と第２アーム部６３１の剛性とを、互いに異ならせた。このように、上述した各物性を適宜組み合わせて、第１アーム部６２１の剛性および第２アーム部６３１の剛性を調整することで、被押圧部６２２や押圧部６３２等の携帯電話機１の検出に関わる部材の設計の自由度をより高くできる。
【００５１】
また、第１アーム部６２１が軸部材６１に連結される位置と、第２アーム部６３１が軸部材６１に連結される位置とを、軸部材６１の軸方向に離間させた。これにより、軸部材６１の捩り剛性によっても第１回転部材６２および第２回転部材６３の回転移動を調整できるので、被押圧部６２２や押圧部６３２等の携帯電話機１の設置状態の検出に関わる部材の設計の自由度を更に高められる。
【００５２】
また、第２アーム部６３１を第１アーム部６２１の延びる方向に沿って延びるように構成した。これにより、第１回転部材６２および第２回転部材６３をコンパクトに設計できるため、押圧部材６０を小型化でき、延いては充電台１０の小型化を図れる。
【００５３】
以上、本発明の実施形態について説明したが、本発明は前述した実施形態に制限されるものではなく、適宜変更が可能である。
例えば、本実施形態では、第１アーム部６２１の剛性を第２アーム部６３１の剛性よりも大きく構成したが、これに限らず、第２アーム部６３１の剛性を第１アーム部６２１の剛性よりも大きく構成してもよい。
また、一対の端子部４０の位置は、前記実施形態における位置に制限されない。
【００５４】
また、本実施形態における検出部５１は、押圧部６３２により押圧されることで携帯電話機１の設置状態の検出を行っていたが、本発明はこれに限定されるものではなく、検出部５１が、例えば押圧部６３２までの距離を赤外線等を用いて計測し、その計測結果に基づいて携帯電話機１の設置状態の検出を行ってもよい。
【００５５】
本発明の設置台１０の設置対象物は、上述した携帯電話機１に制限されず、携帯電話機以外にも適用することができる。
設置対象物としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイまたは液晶ディスプレイが挙げられる。
【図面の簡単な説明】
【００５６】
【図１】本発明の一実施形態に係る充電台に携帯電話機が設置された状態を示す斜視図である。
【図２】図１に係る充電台に携帯電話機が設置されていない状態を示す斜視図である。
【図３】図１に係る充電台の分解斜視図である。
【図４】図３の部分拡大斜視図である。
【図５】充電台の設置部に携帯電話機を設置する場合の充電台の動作を示す縦断面図である。
【符号の説明】
【００５７】
１  携帯電話機（設置対象物）
１０  充電台（設置台）
２０  設置部
３０  筐体（充電台筐体）
４０  端子部
５１  検出部
６１  軸部材
６２  第１回転部材
６３  第２回転部材
【図１】
0005291384.tif 000002
【図２】
0005291384.tif 000003
【図３】
0005291384.tif 000004
【図４】
0005291384.tif 000005
【図５】
0005291384.tif 000006